(57)【要約】【課題】簡便に組み立てられるとともに、耐荷重性等の強度を保持しつつ縮小率を向上させる折り畳みコンテナを提供する。【解決手段】四側辺を有する底板１と、該底板の対向辺に内側に傾倒し該底板上に重合可能なるように軸支した先倒側板３と、該底板の他方の対向辺に内側に傾倒し前記先倒側板上に重合可能なるように軸支した後倒側板６とからなり、該先倒側板および後倒側板の外面には補強リブ７，８を額縁状に形成した折り畳みコンテナであって、後倒側板の両端部に楔状に内側に突出する弾性爪片１３を一体に形成し、該後倒側板を起立させた後に先倒側板を起立させる際に該先倒側板の両端縁が該弾性爪片を外側に押圧し係合することで該先倒側板および後倒側板が起立状態に保持されるようにするとともに、該先倒側板の下辺部の補強リブ７の一部に折り畳み時における該弾性爪片との干渉を避ける切欠１５を形成してなる。【選択図】　図３
2004026263.tif 000002
【特許請求の範囲】
【請求項１】
四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、該先倒側板および後倒側板の外面には補強リブを額縁状に形成した折り畳みコンテナであって、後倒側板の両端部に楔状に内側に突出する弾性爪片を一体に形成し、該後倒側板を起立させた後に先倒側板を起立させる際に該先倒側板の両端縁が該弾性爪片を外側に押圧し係合することで該先倒側板および後倒側板が起立状態に保持されるようにするとともに、該先倒側板の下辺部の補強リブの一部に折り畳み時における該弾性爪片との干渉を避ける切欠を形成してなることを特徴とした折り畳みコンテナ。
【発明の詳細な説明】
【０００１】
【発明の属する技術分野】
本発明は折り畳み可能なプラスチック製の物品収納用コンテナの構造に関するものである。
【０００２】
【従来の技術】
底板の四辺に側板が内側に傾倒し得るようにヒンジされ、折り畳むことによって容積を縮小できるプラスチック製の物品収納用コンテナは、従来から特開２００２−１０４４０５号公報，特開２００２−１０４４０７号公報，特開２００２−２６９６号公報等により知られている。
【０００３】
【発明が解決しようとする課題】
ところで、この種の折り畳みコンテナでは、折り畳み、および、組み立ての簡便性が求められる他、耐荷重性等の強度を保持しつつ縮小率を向上させることが求められる。しかしながら、従来の折り畳みコンテナはこれらの要望に充分に応えられていないものであった。
【０００４】
本発明は上記課題を解決し、簡便に組み立てられるとともに、耐荷重性等の強度を保持しつつ縮小率を向上させる折り畳みコンテナを提供しようとするものである。
【０００５】
【課題を解決するための手段】
そのために本発明の折り畳みコンテナは、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、該先倒側板および後倒側板の外面には補強リブを額縁状に形成した折り畳みコンテナであって、後倒側板の両端部にテーパ状に内側に突出する弾性爪片を一体に形成し、該後倒側板を起立させた後に先倒側板を起立させる際に該先倒側板の両端縁が該弾性爪片が外側に押圧され係合することで該先倒側板および後倒側板が起立状態に保持されるようにするとともに、該先倒側板の下辺部の補強リブの一部に折り畳み時における該弾性爪片との干渉を避ける切欠を形成してなることを特徴とする。
【０００６】
【発明の実施の形態】
次に図面に従い本発明の実施の形態を説明する。図１は本発明に係る折り畳みコンテナの斜視図、図２はそのＡ−Ａ線断面図、図３は折り畳み途中の要部の斜視図、図４は折り畳み状態の要部の斜視図、図５はそのＢ−Ｂ線断面図である。プラスチックの射出成形によって一体に形成された底板１は、四側辺を有し、その対向辺に軸受部２，２を形成し、内側に傾倒し該底板上に重合可能なるように先倒側板３，３を該軸受部に回転自在に軸支している。また該底板１の他方の対向辺には該先倒側板３，３の厚さ相当分の起立壁４，４を一体に形成し該起立壁の上縁に軸受部５，５を形成し、内側に傾倒し前記先倒側板３，３上に重合可能なるように後倒側板６，６を該軸受部に回転自在に軸支している。なお、底板１の下面には補強リブ１６が格子状に形成されている。また、先倒側板３，３、および後倒側板６，６は、夫々外面に補強リブ７，８を額縁状に形成することで積重時の荷重に耐える補強がされている。なお、９は先倒側板３，３の外面に伝票等のカード（図示せず）を着脱自在に挟むために設けられた一対の弾性片からなるカード差しである。
【０００７】
また、先倒側板３，３の両端縁の上部外面に爪片１０が突設される。また、後倒側板６，６の両端部には内側に鉤状に折れ曲がる係合リブ１１が一体に形成され、該係合リブに前記爪片１０が係合し得る係合孔１２が形成されている。また、１３は後倒側板６，６の両端部に前記係合リブ１１の内面に対向するような形態でコ字状スリット１４を形成することで形成され内側に楔状に突出する弾性爪片で、該弾性爪片１３は後倒側板６，６を起立させた後に先倒側板３，３を起立させる際に該先倒側板の両端縁が該弾性爪片を外側に押圧し該先倒側板を起立させたとき該弾性爪片が該先倒側板の両端縁に係合することで該先倒側板および後倒側板を起立状態に保持させるものである。
【０００８】
そして、図３示したように、先倒側板３，３の下辺部の補強リブ７の一部に折り畳み時における該弾性爪片１３との干渉を避ける切欠１５を形成してなる。
【０００９】
このため、図４に示したように先倒側板３，３上に後倒側板６，６を重合したとき、弾性爪片１３は図５に示したように切欠１５中に入ることで補強リブ７との干渉が避けられ、折り畳み時の高さを充分に縮小させることができる。
【００１０】
また、組み立てるに際しては、後倒側板６，６を起立させた後に先倒側板３，３を起立させれば、該先倒側板３，３の両端縁が該弾性爪片１３を自然と外側に押圧し該弾性爪片が該先倒側板の両端縁に係合することから、ワンタッチで簡単に組み立てられるとともに、補強リブ７，８が額縁状に形成されていることから該先倒側板３，３および後倒側板６，６はこの組立状態における耐荷重性も高く所要強度が保持される。
【００１１】
【発明の効果】
このように本発明の折り畳みコンテナは、四側辺を有する底板と、該底板の対向辺に内側に傾倒し該底板上に重合可能なるように軸支した先倒側板と、該底板の他方の対向辺に内側に傾倒し前記先倒側板上に重合可能なるように軸支した後倒側板とからなり、該先倒側板および後倒側板の外面には補強リブを額縁状に形成した折り畳みコンテナであって、後倒側板の両端部にテーパ状に内側に突出する弾性爪片を一体に形成し、該後倒側板を起立させた後に先倒側板を起立させる際に該先倒側板の両端縁が該弾性爪片が外側に押圧され係合することで該先倒側板および後倒側板が起立状態に保持されるようにするとともに、該先倒側板の下辺部の補強リブの一部に折り畳み時における該弾性爪片との干渉を避ける切欠を形成してなるので、弾性爪片の突出が折り畳み時における高さの縮小率を悪化させることなく、組み立ての簡便性と耐荷重性を保持しつつ折り畳みによって大幅に背低にできる有益な効果がある。
【図面の簡単な説明】
【図１】本発明に係る折り畳みコンテナの実施形態を示す斜視図。
【図２】図１の折り畳みコンテナのＡ−Ａ線断面図。
【図３】図１の折り畳みコンテナの折り畳み途中の要部の斜視図。
【図４】図１の折り畳みコンテナの折り畳み状態の要部の斜視図。
【図５】図４の折り畳み状態の折り畳みコンテナのＢ−Ｂ線断面図。
【符号の説明】
１　　　　底板
２　　　　軸受部
３　　　　先倒側板
４　　　　起立壁
５　　　　軸受部
６　　　　後倒側板
７，８　　補強リブ
１０　　　爪片
１１　　　係合リブ
１２　　　係合孔
１３　　　弾性爪片
１４　　　コ字状スリット
１５　　　切欠
【図１】
2004026263.tif 000003
【図２】
2004026263.tif 000004
【図３】
2004026263.tif 000005
【図４】
2004026263.tif 000006
【図５】
2004026263.tif 000007